(57)【要約】【課題】カメラボディの背面のＬＣＤを大型化する。【解決手段】互いに対向した上下面および前後面によって外観形状が規定されるカメラボディ１を有し、このカメラボディ１の前面に撮影レンズ２１を配設し、後面にＬＣＤ１１を配設する。カメラボディ１の上下面の幅方向両端部にそれぞれ撮影者の指で挟持される把持領域３０Ｒ，３０Ｌ，４０Ｒ，４０Ｌを形成する。把持領域３０Ｒ，４０Ｒに凹部３１，４１を設け、把持領域３０Ｌ，４０Ｌにリブ３２，４２を設ける。これによりカメラボディ１を保持するためのグリップ部が不要となり、ＬＣＤ１１を大型化できる。【選択図】図１
2007208777.tif 000002
【特許請求の範囲】
【請求項１】
互いに対向した上下面および前後面によって外観形状が規定されるカメラボディを有し、このカメラボディの前面に撮影レンズが配設され、後面に撮影画像を表示するための表示モニタが配設されたデジタルカメラにおいて、
前記カメラボディの上面および下面の幅方向一端部に撮影者の指で挟持される第１の把持領域および第２の把持領域を形成するとともに、上面および下面の幅方向他端部に撮影者の指で挟持される第３の把持領域および第４の把持領域を形成し、
少なくとも前記第１の把持領域および前記第３の把持領域に、前記カメラボディの上面幅方向への指の位置ずれを防止する位置ずれ防止手段をそれぞれ設けることを特徴とするデジタルカメラ。
【請求項２】
請求項１に記載のデジタルカメラにおいて、
さらに前記第２の把持領域および前記第４の把持領域に、前記カメラボディの下面幅方向への指の位置ずれを防止する位置ずれ防止手段をそれぞれ設けることを特徴とするデジタルカメラ。
【請求項３】
互いに対向した上下面および前後面によって外観形状が規定されるカメラボディを有し、このカメラボディの前面に撮影レンズが配設され、後面に撮影画像を表示するための表示モニタが配設されたデジタルカメラにおいて、
前記カメラボディの上面および下面の幅方向一端部に撮影者の指で挟持される第１の把持領域および第２の把持領域を形成するとともに、上面および下面の幅方向他端部に撮影者の指で挟持される第３の把持領域および第４の把持領域を形成し、
少なくとも前記第１の把持領域および前記第２の把持領域に、前記カメラボディの上面幅方向および下面幅方向への指の位置ずれを防止する位置ずれ防止手段をそれぞれ設けることを特徴とするデジタルカメラ。
【請求項４】
請求項１〜３のいずれか１項に記載のデジタルカメラにおいて、
前記位置ずれ防止手段は、前記第１の把持領域から第４の把持領域のいずれかに撮影者の指の形状に対応した凹部を形成してなることを特徴とするデジタルカメラ。
【請求項５】
請求項１〜３のいずれか１項に記載のデジタルカメラにおいて、
前記位置ずれ防止手段は、前記第１の把持領域から第４の把持領域のいずれかに複数の凹凸部を形成してなることを特徴とするデジタルカメラ。
【請求項６】
請求項１〜３のいずれか１項に記載のデジタルカメラにおいて、
前記位置ずれ防止手段は、前記第１の把持領域から第４の把持領域のいずれかに滑り止め部材を装着してなることを特徴とするデジタルカメラ。
【請求項７】
請求項１〜６のいずれか１項に記載のデジタルカメラにおいて、
前記第１の把持領域内の端部もしくはその近傍における前記カメラボディの上面に、撮影時に操作される操作部材が設けられることを特徴とするデジタルカメラ。
【請求項８】
請求項４に記載のデジタルカメラにおいて、
前記凹部は前記カメラボディの上面および下面にそれぞれ設けられ、この上下面の凹部に連なって前記カメラボディの側面が凹状に形成されることを特徴とするデジタルカメラ。
【発明の詳細な説明】
【技術分野】
【０００１】
本発明は、ＬＣＤ等の表示モニタを背面に有するデジタルカメラに関する。
【背景技術】
【０００２】
一般に、デジタルカメラの背面にはＬＣＤ等の表示モニタが配置されるとともに、各種の操作部材が配置される（例えば特許文献１参照）。この特許文献１記載のカメラでは、カメラの側端部にグリップ部を設け、グリップ部に干渉しない範囲に操作部材を配置している。
【０００３】
【特許文献１】特開平１１−３３１６６２号公報
【発明の開示】
【発明が解決しようとする課題】
【０００４】
しかしながら、近年、デジタルカメラは小型化および薄型化する一方、表示モニタは大型化する傾向にあり、上記特許文献１記載のカメラのように側端部にグリップ部を設けると、操作部材の十分な配置スペースを確保できない。
【課題を解決するための手段】
【０００５】
本発明は、互いに対向した上下面および前後面によって外観形状が規定されるカメラボディを有し、このカメラボディの前面に撮影レンズが配設され、後面に撮影画像を表示するための表示モニタが配設されたデジタルカメラに適用され、カメラボディの上面および下面の幅方向一端部に撮影者の指で挟持される第１の把持領域および第２の把持領域を形成するとともに、上面および下面の幅方向他端部に撮影者の指で挟持される第３の把持領域および第４の把持領域を形成し、少なくとも第１の把持領域および第３の把持領域に、カメラボディの上面幅方向への指の位置ずれを防止する位置ずれ防止手段をそれぞれ設けることを特徴とする。
この場合、第２の把持領域および第４の把持領域に、カメラボディの下面幅方向への指の位置ずれを防止する位置ずれ防止手段をそれぞれ設けることもできる。
位置ずれ防止手段を、少なくとも第１の把持領域および第２の把持領域に設けるようしてもよい。
位置ずれ防止手段としては種々のものがあり、例えば第１の把持領域から第４の把持領域のいずれかに撮影者の指の形状に対応した凹部を形成してもよく、把持領域に複数の凹凸部を形成してもよく、把持領域に滑り止め部材を装着してもよい。
第１の把持領域内の端部もしくはその近傍におけるカメラボディの上面に、撮影時に操作される操作部材を設けることが好ましい。
カメラボディの上面および下面の把持領域にそれぞれ凹部を設け、この上下面の凹部に連なってカメラボディの側面を凹状に形成することもできる。
【発明の効果】
【０００６】
本発明によれば、カメラボディの上下面の幅方向両端部にそれぞれ撮影者の指で挟持される把持領域を形成し、少なくとも上面の幅方向両端部の把持領域、あるいは上下面の幅方向一端部の把持領域において指の位置ずれを防止するようにした。これによりカメラボディにグリップ部を設ける必要がなく、ボディの後面に大型の表示モニタを配設することができる。
【発明を実施するための最良の形態】
【０００７】
図１〜図７を参照して本発明によるデジタルカメラの実施の形態について説明する。
図１（ａ）は本発明の実施の形態に係るデジタルカメラを背面側（撮影者側）から見た斜視図であり、図１（ｂ）はこのデジタルカメラを天地逆さまにして正面側から見た斜視図である。なお、以下では図示のように上下左右方向および前後方向を定義し、この定義に従ってカメラの構成を説明する。
【０００８】
デジタルカメラのボディ１は全体が薄型の略直方体形状をなし、その後面１０には所定サイズの表示モニタ（例えばＬＣＤであり、以下ＬＣＤ１１と呼ぶ）と、ズームボタン１２ａやモード選択ボタン１２ｂなどの操作部材１２が配設され、前面２０には撮影レンズ２１とストロボ２２が配設されている。ボディ１の上面３０にはレリーズボタン３３と電源ボタン３４が配設されている。
【０００９】
ＬＣＤ１１は背面１０の上下方向ほぼ全域にわたり、かつ左側に寄せて配置され、ＬＣＤ１１の右側に操作部材１２が配置されている。ＬＣＤ１１には、撮影時に被写体画像が表示され、再生時に再生画像が表示される。なお、ＬＣＤ１１をできるだけ大型化するため、ボディ１の後面１０にファインダは設けられていない。
【００１０】
このように本実施の形態ではＬＣＤ１１を大型化し、後面１０の右側端部に操作部材１２を配置した。そのため、ボディ１の右側端部にカメラ保持用のグリップ部は設けられておらず、撮影時には図２に示すように撮影者は右手ＲＨの人差し指ＲＨ１と親指ＲＨ２および左手ＬＨの人差し指ＬＨ１と親指ＬＨ２とによって上下面を挟持した状態でボディ１を保持する。このようなボディ１の保持を可能とするため以下のように構成する。
【００１１】
図１において、カメラ上面３０の左右側端部および下面４０の下面側端部の斜線領域は、それぞれ撮影者により把持される把持領域３０Ｌ，３０Ｒ，４０Ｌ，４０Ｒである。すなわち、右側の把持領域３０Ｒと４０Ｒに撮影者の右手人差し指ＲＨ１と親指ＲＨ２がそれぞれ置かれ、左側の把持領域３０Ｌと４０Ｌにそれぞれ左手人差し指ＬＨ１と親指ＬＨ２が置かれる。なお、撮影者によっては把持領域３０Ｒ，３０Ｌに人差し指以外、例えば中指が置かれることもある。
【００１２】
右側の把持領域３０Ｒ，４０Ｒには撮影者の指形状に対応してそれぞれ凹部３１，４１が設けられている。これにより上下面における右手の指ＲＨ１，ＲＨ２の位置が規定され、ボディ１を容易に挟持することができる。すなわち、上下面における前後方向（厚さ方向）および左右方向（幅方向）への指の移動が規制され、指の位置ずれを防ぐことができる。
【００１３】
レリーズボタン３３は凹部３１内の左端部に、凹部３１の底面よりもやや膨出して設けられ、凹部３１に人差し指ＲＨ１を置いた状態で、その指の先端部の押圧操作によりレリーズボタン３３を操作可能となっている。また、電源ボタン３４は上面３０の把持領域３０Ｒの近傍に設けられ、人差し指ＲＨ１を左側に少しずらすだけで電源ボタン３４を押圧操作可能となっている。
【００１４】
一方、左側の把持領域部３０Ｌ，４０Ｌには凹部ではなく前後方向細長の凸状のリブ３４，４２が左右方向に複数並設されている。なお、リブ形状は図示したものに限らず、例えば凹状のリブとしてもよい。また、図１（ｃ）に示すように複数の小径のリブ３２を把持領域３０Ｌに配設してもよい。これにより上下面における左手の指ＬＨ１，ＬＨ２の位置が規定され、ボディ１を容易に挟持することができる。なお、把持領域３０Ｌ，４０Ｌに凹凸部を形成するのであればリブの形状はいかなるものでもよい。
【００１５】
本実施の形態によれば以下のような作用効果を奏することができる。
（１）ボディ１の上下面左右端部の把持領域３０Ｒ，４０Ｒ，３０Ｌ，４０Ｌにそれぞれ凹部３１，４１およびリブ３２，４２を設けるようにしたので、撮影者はこの把持領域３０Ｒ，４０Ｒ，３０Ｌ，４０Ｌを挟持してボディ１を保持することができ、安定した姿勢で撮影が可能である。このため、カメラ１００にグリップ部を設ける必要がなく、背面１０に大型のＬＣＤ１１を配置することができる。すなわち例えば図３に示すようにボディ１００の右側端部にグリップ部１０１を設けると、操作部材１０２を左側にずらす必要があり、ＬＣＤ１０３を大型化することができないが、本実施の形態ではグリップ部が不要であるので、操作部材１２を左側にずらす必要がなく、ＬＣＤ１１を大型化できる。この場合、撮影者はＬＣＤ１１の被写体画像を見ながら撮影するので、ファインダが不要である。腕を伸ばした状態でも安定した姿勢でカメラ１００を保持できる。
【００１６】
（２）右側の把持領域３０Ｒ，４０Ｒに凹部３１，４１を設けるので、右手の指ＲＨ１，ＲＨ２を上下面に密着した状態でボディ１を保持することができ、ホールド性がよい。凹部３１によって指の位置が規定されるので、凹部３１の端部に配置したレリーズボタン３３を容易に操作することができる。撮影時に頻繁に操作される電源ボタン３４を凹部３１の近傍に設けるので、電源ボタン３４の操作も容易である。
（３）左側の把持領域３０Ｌ，４０Ｌにリブ３２，４２を設けるので、リブ３２，４２が左手の指の位置を規制する滑り止めとして機能し、良好なホールド性が得られる。
【００１７】
なお、上記実施の形態では右側の把持領域３０Ｒ，４０Ｒに凹部３１，４１を設けたが、この代わりにリブを設けるようにしてもよい。また、左側の把持領域３０Ｌ，４０Ｌにリブ３２，４２を設けたが、この代わりに凹部を設けてもよい。上下面の左右両端部に凹部を設ける場合、図４に示すように上下面（図では上面３０のみ図示）の全体に凹部３５を設けるとともに、把持領域３０Ｒ，３０Ｌにおいて指の形に対応して凹部３５を形成してもよい。
【００１８】
さらに図５に示すように把持領域３０Ｒ，３０Ｌに凹部３５を設けるだけでなく、リブ３６を設けるようにしてもよい。これによりボディ１のホールド性が一層高まる。把持領域に凹部やリブやを設ける代わりに、ゴム等の滑り止め部材を装着してもよい。例えば図６に示すように把持領域３０Ｒ，３０Ｌに凹部３５を設けるとともに、滑り止め部材３７を接着してもよい。表面の塗装処理によって滑り止めの効果を得ることもできる。
【００１９】
図４で述べたように上面３０の把持領域３０Ｒ，３０Ｌに凹部３５を設ける場合、さらに図７に示すように上下面の凹部３５に連なるようにボディ１の一側面に凹部３８を設けてもよい。これにより例えばボディ１を９０°回転させ、縦向きにして撮影する場合に、撮影者の指が凹部３８によって保持され、ホールド性がよい。なお、凹部３８はボディ１の左右一側面に設けてもよく、両側面に設けてもよい。ボディ１の側面に凹部３８を設ける場合、把持領域３０Ｌと３０Ｒの間、もしくは把持領域４０Ｌと把持領域４０Ｒの間に必ずしも凹部３５を設けなくてもよい。
【００２０】
以上の実施の形態（図１）では、ボディ１の上下面の右端部の把持領域３０Ｒ（第１の把持領域），４０Ｒ（第２の把持領域）にそれぞれ凹部３１，４１を設け、上下面の左端部の把持領域３０Ｌ（第３の把持領域），４０Ｌ（第４の把持領域）にそれぞれリブ３２，４２を設けたが、これら位置ずれ防止手段をボディ１の上面にだけ設けたのでもよく、ボディ１の左右一端部にだけ設けたのでもよい。ボディ１の上下面における左右方向への指の位置ずれを防止するのであれば、上述した凹部３１，４１、リブ３２，４２、および滑り止め部材３７以外の位置ずれ防止手段を用いてもよい。ボディ上面３０にレリーズボタン３３と電源ボタン３４を配置したが、撮影時に操作される他の操作部材を配置してもよい。撮影画像をＬＣＤ１１に表示するようにしたが、他の表示モニタを用いてもよい。
【００２１】
互いに対抗した上下面および前後面を有するのであれば、カメラボディ１の形状はいかなるものでもよく、前面２０の撮影レンズ２１および後面１０のＬＣＤ１１の配置も上述した例に限らない。すなわち、本発明の特徴、機能を実現できる限り、本発明は実施の形態のデジタルカメラに限定されない。
【図面の簡単な説明】
【００２２】
【図１】本発明の実施の形態に係るデジタルカメラの斜視図。
【図２】本発明の実施の形態に係るデジタルカメラの撮影時の動作を示す図。
【図３】従来のデジタルカメラの問題点を説明する図。
【図４】図１の変形例（その１）を示す上面図。
【図５】図１の変形例（その２）を示す上面図。
【図６】図１の変形例（その３）を示す上面図。
【図７】図１の変形例（その４）を示す斜視図。
【符号の説明】
【００２３】
１  カメラボディ
１１  ＬＣＤ
３０Ｒ，３０Ｌ，４０Ｒ，４０Ｌ  把持領域
３１，４１  凹部
３２，４２  リブ
３３  リリーズボタン
３４  電源ボタン
３７  滑り止め部材
３８  凹部
【図１】
2007208777.tif 000003
【図２】
2007208777.tif 000004
【図３】
2007208777.tif 000005
【図４】
2007208777.tif 000006
【図５】
2007208777.tif 000007
【図６】
2007208777.tif 000008
【図７】
2007208777.tif 000009